(57)【特許請求の範囲】
【請求項１】
各車輪の制動力を個別に調節可能な制動力調節装置と、
車両の各車輪の操舵方向を個別に調節可能な操舵調節装置と、
前記車両の運転状態に基づいて少なくとも前記制動力調節装置および前記操舵調節装置を制御する制御部とを備えた車両用制御装置であって、
前記制御部は、
前記制動力調節装置を作動させて制動時の車輪のロックを抑制する制御を実行するアンチロックブレーキ制御部と
スプリット路面の走行中にブレーキ操作による制動に伴ってヨーモーメントが発生した場合に、前記操舵調節装置を作動させて、前記ヨーモーメントを打ち消すべく高μ路側前輪をトーイン方向に操舵するとともに、低μ路側前輪の操舵方向を維持し、または車輪前後方向を対地速度方向へ操舵する前輪補正操舵部とを備えることを特徴とする車両用制御装置。
【請求項２】
スプリット路面の走行中にブレーキ操作による制動に伴ってヨーモーメントが発生した場合に、前記操舵調節装置を作動させて、前記ヨーモーメントを打ち消すべく高μ路側後輪をトーアウト方向へ操舵するとともに、低μ路側後輪の操舵方向を維持し、または車輪前後方向を対地速度方向へ操舵する後輪補正操舵制御を実行する後輪補正操舵部を備えることを特徴とする請求項１に記載の車両用制御装置。
【請求項３】
前記後輪補正操舵部は、車両のヨーモーメントが所定の基準を上回った場合に前記後輪補正操舵制御を実行することを特徴とする請求項２に記載の車両用制御装置。
【請求項４】
各車輪の制動力を個別に調節可能な制動力調節装置と、
車両の各車輪の操舵方向を個別に調節可能な操舵調節装置と、
前記車両の運転状態に基づいて少なくとも前記制動力調節装置および前記操舵調節装置を制御する制御部とを備えた車両用制御装置であって、
前記制御部は、
前記制動力調節装置を作動させて制動時の車輪のロックを抑制する制御を実行するアンチロックブレーキ制御部と
スプリット路面の走行中にブレーキ操作による制動に伴ってヨーモーメントが発生した場合に、前記操舵調節装置を作動させて、前記ヨーモーメントを打ち消すべく高μ路側後輪をトーアウト方向に操舵するとともに、低μ路側後輪の操舵方向を維持し、または車輪前後方向を対地速度方向へ操舵する後輪補正操舵部とを備えることを特徴とする車両用制御装置。
【請求項５】
前記低μ路側の車輪は、前記ブレーキ操作前の当該車輪の速度成分と、現在の当該車輪位置での回転速度成分とを合成した方向に向けて操舵されることを特徴とする請求項１から請求項４のいずれか１項に記載の車両用制御装置。
【請求項６】
車両速度とヨーレートのうち少なくともいずれか一方に対応させて、制御対象となる低μ路側の車輪の操舵方向をあらかじめ記憶した記憶部を備え、前記記憶部の記憶している対応関係に基づき低μ路側の車輪を操舵することを特徴とする請求項１から請求項５のいずれか１項に記載の車両用制御装置。
【請求項７】
前記高μ路側の車輪は、ヨーレートが大きいほど補正操舵量が大きく制御されることを特徴とする請求項１から請求項６のいずれか１項に記載の車両用制御装置。
【請求項８】
前記高μ路側の車輪は、ヨーレートの向きが反転する前の補正操舵量よりも反転した後の補正操舵量が小さく制御されることを特徴とする請求項１から請求項７のいずれか１項に記載の車両用制御装置。
【発明の詳細な説明】
【技術分野】
【０００１】
本発明は、車両の挙動を制御する車両用制御装置に関する。
【背景技術】
【０００２】
左右の車輪が走行する路面の摩擦係数が異なる、いわゆるスプリット路面においては、車両を急制動させると高摩擦係数路面（本明細書において「高μ路」とする）側の車輪ばかりが制動力を発揮し、低摩擦係数路面（低μ路）側の車輪は十分な制動力を生じないことから、車体が高μ路側に旋回するヨーモーメントが発生する。
このヨーモーメントは、車輪のロック状態を防止するアンチロックブレーキ制御を行っている車両において特に発生しやすい。
【０００３】
このヨーモーメントを抑えるため、従来、左右の各車輪のうち高μ路側の車輪の制動力を適宜緩めて、左右の車輪の制動力の差を小さくすることが考えられている。
しかし、この対策によると、高μ路側の路面摩擦力を十分に利用できないという問題がある。
そのため、スプリット路面に起因するヨーモーメントの発生を抑えつつ制動力を確保するために、ヨーモーメントを相殺する方向に前輪または後輪を操舵させる制御を行う技術も考案されている（特許文献１参照）。
【０００４】
【特許文献１】特開平１−１５６１７６号公報
【発明の開示】
【発明が解決しようとする課題】
【０００５】
ところで、特許文献１の発明においては、ヨーモーメントを相殺する修正操舵は前輪または後輪の少なくとも一方の左右車輪を対象としている。しかし、ヨーモーメントを相殺するために、例えば前の左右車輪を両方同じ方向に向けた場合には、低μ路側の車輪が十分な制動力を発揮できない場合があるという問題がある。
つまり、例えば左車輪が高μ路、右車輪が低μ路に載るようなスプリット路面を走行している場合、急制動を掛けると車両が左に旋回するようなヨーモーメントが発生する。これに対し、左右の前輪をともに右向きに操舵させると、左の前輪は右旋回のヨーモーメントを発生するのに役立つが、右の前輪は、低μ路上に載っていて右旋回のヨーモーメントの発生には役立たないため、少しでも制動力を発揮するのが望ましい。
ところが、右前車輪も左前車輪と同じように単に右、つまりトーアウト方向へ操舵してしまうと、右前車輪（タイヤ）に対し路面が流れる方向は、右前車輪の前後方向（転がるべき方向）に対し、斜めまたは横方向になってしまう。この点、タイヤは、前後方向の摩擦力がもっとも大きくなるように設計してあるのが通常であるので、路面が右前車輪に対し斜め方向に流れるのでは、タイヤの制動能力を最大限に発揮できないことになる。また、アンチロックブレーキ制御を行ったところで、低μ路側の車輪は横滑りしているため、せっかくのアンチロックブレーキ制御によっても最大限の摩擦力の確保ができなくなる。
そこで、本発明では、スプリット路面において急制動を掛けたときに、できるだけ制動力を発揮しつつ、車両を安定させる車両用制御装置を提供することを課題とする。
【課題を解決するための手段】
【０００６】
前記した課題を解決するため、本発明の車両制御用装置は、次の構成を有する。すなわち、各車輪の制動力を個別に調節可能な制動力調節装置と、車両の各車輪の操舵方向を個別に調節可能な操舵調節装置と、前記車両の運転状態に基づいて少なくとも前記制動力調節装置および前記操舵調節装置を制御する制御部とを備えた車両用制御装置であって、前記制御部は、前記制動力調節装置を作動させて制動時の車輪のロックを抑制する制御を実行するアンチロックブレーキ制御部と、スプリット路面の走行中に制動に伴ってヨーモーメントが発生した場合に、前記操舵調節装置を作動させて、前記ヨーモーメントを打ち消すべく高μ路側前輪をトーイン方向に操舵するとともに、低μ路側前輪の操舵方向を維持し、または車輪前後方向を対地速度方向へ操舵する前輪補正操舵部とを備える。
【０００７】
このように、スプリット路面の走行中にヨーモーメントが発生した場合、左右の前輪を個別に制御して、まず高μ路側前輪をトーイン方向、つまりヨーモーメントを打ち消す方向に操舵するため、ヨーモーメントによる車両の姿勢変化が抑制される。また、低μ路側前輪の操舵方向を維持し、または車輪前後方向を対地速度方向へ操舵するため、従来のように画一的にトーアウト方向へ操舵する場合に比べ、路面が低μ路側前輪の前後方向へ向けて移動、いわば流れるため、低μ路側前輪の摩擦力をできるだけ生かして、制動力を発揮することができる。特に、低μ路側前輪において行われるアンチロックブレーキ制御が、車輪と路面の摩擦係数が最も高くなるようなスリップ率になるように制御することで、ヨーモーメントで車両が旋回し始めている状態でも、最大限の摩擦力を発揮できる。なお、本明細書においては、車輪の位置において地面に対し車両が相対的に移動する方向を「対地速度方向」とする。
【０００８】
前記した車両用制御装置においては、スプリット路面の走行中に制動に伴ってヨーモーメントが発生した場合に、前記操舵調節装置を作動させて、前記ヨーモーメントを打ち消すべく高μ路側後輪をトーアウト方向へ操舵するとともに、低μ路側後輪の操舵方向を維持し、または車輪前後方向を対地速度方向へ操舵する後輪補正操舵制御を実行する後輪補正操舵部を備えることが望ましい。
【０００９】
このように、後輪については、スプリット路面の走行中にヨーモーメントが発生した場合、高μ路側後輪をトーアウト方向へ操舵するため、ヨーモーメントによる車両の姿勢変化が抑制される。また、低μ路側後輪の操舵方向を維持し、または車輪前後方向を対地速度方向へ操舵するため、従来に比べて低μ路側後輪に対し路面が相対的に前後方向に移動するので、低μ路側後輪の摩擦力をできるだけ生かすことができる。
【００１０】
前記した車両用制御装置においては、前記後輪補正操舵部は、車両のヨーモーメントが所定の基準を上回った場合に前記後輪補正操舵制御を実行するのが望ましい。
【００１１】
発生したヨーモーメントが比較的小さい場合には、前輪のみが独立に操舵されるので、ヨーモーメントの抑制に伴う車両の姿勢変化が緩やかになる。つまり、搭乗者が違和感を覚えるのを和らげ、乗り心地を向上させることができる。
【００１２】
また、本発明の第２の観点からは、車両用制御装置は、次のように構成することができる。すなわち、各車輪の制動力を個別に調節可能な制動力調節装置と、車両の各車輪の操舵方向を個別に調節可能な操舵調節装置と、前記車両の運転状態に基づいて少なくとも前記制動力調節装置および前記操舵調節装置を制御する制御部とを備えた車両用制御装置であって、前記制御部は、前記制動力調節装置を作動させて制動時の車輪のロックを抑制する制御を実行するアンチロックブレーキ制御部と、スプリット路面の走行中に制動に伴ってヨーモーメントが発生した場合に、前記操舵調節装置を作動させて、前記ヨーモーメントを打ち消すべく高μ路側後輪をトーアウト方向に操舵するとともに、低μ路側後輪の操舵方向を維持し、または車輪前後方向を対地速度方向へ操舵する後輪補正操舵部とを備える。
【００１３】
このように、スプリット路面の走行中にヨーモーメントが発生した場合に、高μ路後輪がトーアウト方向へ向くので、車両の姿勢変化が抑制されるとともに、低μ路側後輪が維持され、またはその車輪前後方向が対地速度方向を向くことで、従来に比べて低μ路後輪の向きが路面の相対的移動方向に沿い、低μ路側後輪の摩擦力をできるだけ生かすことができる。
【００１４】
前記した車両用制御装置においては、前記低μ路側の車輪、つまり、低μ路側の前輪または後輪は、ブレーキ操作前の当該車輪の速度成分と、現在の当該車輪位置での回転速度成分とを合成した方向に向けて操舵されるのが望ましい。
【００１５】
このように操舵方向を決定することにより、低μ路側の車輪は、現在のその車輪の路面に対する移動方向（車輪に対し路面が相対的に流れる対地速度方向）にほぼ向くことになるので、タイヤの能力を生かして十分な摩擦力を発揮することができる。
【００１６】
前記した車両用制御装置においては、車両速度とヨーレートのうち少なくともいずれか一方に対応させて、制御対象となる低μ路側の車輪の操舵方向をあらかじめ記憶した記憶部を備え、前記記憶部の記憶している対応関係に基づき低μ路側の車輪を操舵することができる。
このようにあらかじめ記憶しておいたテーブルなどを参照して車輪の操舵方向を決定すれば、演算処理が容易で素早い制御が可能になる。
【００１７】
また、前記高μ路側の車輪、つまり、高μ路側の前輪または後輪は、ヨーレートが大きいほど補正操舵量が大きく制御するのが望ましい。
このようにヨーレートが大きいほど補正操舵量を大きくすることで、車両の姿勢を素早く元へ戻すことが可能である。
【００１８】
前記高μ路側の車輪は、ヨーレートの向きが反転する前の補正操舵量よりも反転した後の補正操舵量が小さく制御されるのが望ましい。このように、高μ路側の車輪の操舵によるコーナリングフォースが車両の振れを戻すカウンターヨーモーメントを発生し、振れが戻り始めたなら高μ路側の車輪の補正操舵量を小さくすることで、振れ戻しを抑制することができる。
【発明の効果】
【００１９】
本発明によれば、スプリット路面などにおいて、アンチロックブレーキ制御が働いて車体にヨーモーメントが発生したとしても、高μ路側の車輪でヨーモーメントを抑えつつ、低μ路側の車輪はできるだけ進行方向に向くよう操舵されるので、タイヤの能力を十分に発揮することができる。
【発明を実施するための最良の形態】
【００２０】
次に、本発明の実施形態について、適宜図面を参照しながら詳細に説明する。
参照する図面において、図１は、実施形態に係る車両用制御装置を備えた車両の構成図であり、図２は、操舵調節装置の液圧回路図であり、図３は、制動力調節装置の液圧回路図である。
【００２１】
図１に示すように、車両用制御装置１００は、車両ＣＲの各車輪Ｔに付与する制動力を適宜制御するとともに、各車輪Ｔの操舵方向を制御して車両ＣＲの挙動を安定化させる装置である。車両用制御装置１００は、油路や各種部品が設けられ、操舵調節装置１０Ａおよび制動力調節装置１０Ｂ（図２、図３参照）を構成する液圧ユニット１０と、液圧ユニット１０内の各種部品を適宜制御するための制御部２０とを主に備えている。
【００２２】
各車輪Ｔには、それぞれ車輪ブレーキＦＬ，ＲＲ，ＲＬ，ＦＲが備えられ、各車輪ブレーキＦＬ，ＲＲ，ＲＬ，ＦＲには、マスタシリンダＭから供給される液圧により制動力を発生するホイールシリンダＷが備えられている。マスタシリンダＭとホイールシリンダＷとは、それぞれ液圧ユニット１０に接続されている。そして、ブレーキペダルＰの踏力に応じてマスタシリンダＭで発生したブレーキ液圧が、制御部２０および液圧ユニット１０で制御された上でホイールシリンダＷに供給されている。
ステアリングＳには、その操作角度（ステアリング操作角）を検出する操作角センサ９３が設けられている。操作角センサ９３は、制御部２０に接続され、制御部２０により液圧ユニット１０を介して各車輪Ｔの操舵方向が制御される。各車輪ＴのナックルアームＫは、例えば、液圧シリンダからなるアクチュエータ３０により作動される。具体的には、アクチュエータ３０のピストンロッド３１がナックルアームＫに接続され、ピストンロッド３１の作動により、各車輪Ｔの操舵方向を調節することが可能となっている。
【００２３】
各アクチュエータ３０は、液圧ユニット１０に接続されている。液圧ユニット１０は、後述するように制御部２０からの指令により各アクチュエータ３０に液圧を供給する。
【００２４】
制御部２０には、車両ＣＲの各車輪Ｔの車輪速度、詳細には車輪Ｔの回転速度を検出するための車輪速センサ９１が接続されている。また、各アクチュエータ３０には、内部のピストンの位置を操舵角ＳＡの情報として検出する操舵角センサ９２が備えられている。操舵角センサ９２は、それぞれ制御部２０へ接続されている。また、車両ＣＲのヨーレートＶＹを測定するヨーレートセンサ９４が設けられ、制御部２０に接続されている。ヨーレートセンサ９４は、計算を用いてでもヨーレートＶＹを取得できるものであればよく、横加速度センサや、ジャイロセンサであってもよい。また、ヨーレートセンサ９４を設けない構成として、各車輪速センサ９１の検出結果の履歴からヨーレートＶＹを推定してもよい。
制御部２０は、例えば、ＣＰＵ、ＲＡＭ、ＲＯＭおよび入出力回路を備えており、車輪速センサ９１や操舵角センサ９２からの入力と、ＲＯＭに記憶されたプログラムやデータに基づいて各種演算処理を行うことによって、制御を実行する。
【００２５】
次に、操舵調節装置１０Ａとしての液圧ユニット１０の一例について説明する。
図２に示すように、液圧ユニット１０は、ポンプ１４と、ポンプ１４を駆動する電動モータ１６と、ポンプ１４が発生した液圧を蓄圧するアキュムレータ１５とを備えている。アキュムレータ１５に蓄圧された高圧液は、２つの３ポート３位置の電磁弁１１ａ，１１ｂを介して、アクチュエータ３０の２つのシリンダ室に供給される。電磁弁１１ａ，１１ｂは、通常時においてアキュムレータ１５からの液圧の伝達を遮断して車輪Ｔの操舵方向を保持しているが、制御部２０からの指令により電磁弁１１ａ，１１ｂの状態を変えることで、アクチュエータ３０のピストンロッド３１を左右にスライドさせてナックルアームＫを回動させることが可能になっている。車輪Ｔは、ナックルアームＫの回動に応じて操舵方向が調節される。また、アクチュエータ３０のシリンダ室から逃がされた作動液は、リザーバ１３へ還流するよう配管されている。
【００２６】
次に、制動力調節装置１０Ｂとしての液圧ユニット１０の一例について説明する。
図３に示すように、液圧ユニット１０は、マスタシリンダＭと車輪ブレーキＦＬ，ＲＲ，ＲＬ，ＦＲとの間に配置されている。マスタシリンダＭの二つの出力ポートＭ１，Ｍ２は、液圧ユニット１０の入口ポート１２１に接続され、出口ポート１２２が、各車輪ブレーキＦＬ，ＲＲ，ＲＬ，ＦＲに接続されている。そして、通常時は液圧ユニット１０内の入口ポート１２１から出口ポート１２２までが連通した油路となっていることで、ブレーキペダルＰの踏力が各車輪ブレーキＦＬ，ＲＲ，ＲＬ，ＦＲに伝達されるようになっている。
【００２７】
液圧ユニット１０には、各車輪ブレーキＦＬ，ＲＲ，ＲＬ，ＦＲに対応して四つの入口弁１、四つの出口弁２、および四つのチェック弁１ａが設けられている。また、出力ポートＭ１，Ｍ２に対応した各出力液圧路８１，８２に対応して二つのリザーバ３、二つのポンプ４、二つのダンパ５、二つのオリフィス５ａが設けられ、二つのポンプ４を駆動するための電動モータ６を備えている。
【００２８】
入口弁１は、各車輪ブレーキＦＬ，ＲＲ，ＲＬ，ＦＲとマスタシリンダＭとの間に配置された常開型の電磁弁である。入口弁１は、通常時に開いていることで、マスタシリンダＭから各車輪ブレーキＦＬ，ＲＲ，ＲＬ，ＦＲへブレーキ液圧が伝達するのを許容している。また、入口弁１は、車輪Ｔがロックしそうになったときに制御部２０により閉塞されることで、ブレーキペダルＰから各車輪ブレーキＦＬ，ＲＲ，ＲＬ，ＦＲに伝達する液圧を遮断する。
【００２９】
出口弁２は、各車輪ブレーキＦＬ，ＲＲ，ＲＬ，ＦＲと各リザーバ３との間に配置された常閉型の電磁弁である。出口弁２は、通常時に閉塞されているが、車輪Ｔがロックしそうになったときに制御部２０により開放されることで、各車輪ブレーキＦＬ，ＲＲ，ＲＬ，ＦＲに加わるブレーキ液圧を各リザーバ３に逃がす。
【００３０】
チェック弁１ａは、各入口弁１に並列に接続されている。このチェック弁１ａは、各車輪ブレーキＦＬ，ＲＲ，ＲＬ，ＦＲ側からマスタシリンダＭ側へのブレーキ液の流入のみを許容する弁であり、ブレーキペダルＰからの入力が解除された場合に入口弁１を閉じた状態にしたときにおいても、各車輪ブレーキＦＬ，ＲＲ，ＲＬ，ＦＲ側からマスタシリンダＭ側へのブレーキ液の流れを許容する。
【００３１】
リザーバ３は、各出口弁２が開放されることによって逃がされるブレーキ液を吸収する機能を有している。
ポンプ４は、リザーバ３で吸収されているブレーキ液を吸入し、そのブレーキ液をダンパ５やオリフィス５ａを介してマスタシリンダＭへ戻す機能を有している。これにより、リザーバ３によるブレーキ液圧の吸収によって減圧された各出力液圧路８１，８２の圧力状態が回復される。
【００３２】
入口弁１および出口弁２は、制御部２０により開閉状態が制御されることで、各車輪ブレーキＦＬ，ＲＲ，ＲＬ，ＦＲのホイールシリンダＷにおける液圧を制御する。例えば、入口弁１が開、出口弁２が閉となる通常状態では、ブレーキペダルＰを踏んでいれば、マスタシリンダＭからの液圧がそのままホイールシリンダＷへ伝達して増圧状態となり、入口弁１が閉、出口弁２が開となれば、ホイールシリンダＷからリザーバ３側へブレーキ液が流出して減圧状態となり、入口弁１と出口弁２が共に閉となれば、ホイールシリンダＷの液圧が保持される。制御部２０は、各ホイールシリンダＷで目標とするブレーキ液圧に応じて、これらの３つの状態を切り換えるべく、各入口弁１および各出口弁２に制御信号を出力する。
【００３３】
図４は、制御部のブロック構成図である。
図４に示すように、制御部２０は、記憶部２１と、アンチロックブレーキ制御部２２と、操舵制御部２３とを有する。制御部２０は、車輪速センサ９１、操舵角センサ９２、操作角センサ９３およびヨーレートセンサ９４から入力される各情報に基づき、液圧ユニット１０内の各電磁弁１１ａ，１１ｂおよび電動モータ１６などを駆動する信号を出力するように構成されている。なお、例示したセンサ類からの情報以外にも、制御の精度を向上させるため気温や湿度など、適宜必要な情報を制御部２０に入力してもよい。
【００３４】
記憶部２１は、アンチロックブレーキ制御部２２および操舵制御部２３の演算に用いるテーブルや、車輪速、ヨーレートＶＹ、ヨーモーメントなどの車両ＣＲの各物理量の履歴などを記憶する部分である。
【００３５】
アンチロックブレーキ制御部２２は、目標スリップ率設定部２２ａ、スリップ率演算部２２ｂ、ブレーキ制御量演算部２２ｃおよび駆動部２２ｄを備えて構成されている。
【００３６】
目標スリップ率設定部２２ａは、状況に応じて、トラクションの伝達率が良いとされるスリップ率ＳＬの目標値を設定する部分である。例えば、目標スリップ率ＳＬＴは３０％などと設定される。目標スリップ率ＳＬＴは、ステアリング操作角や、車輪速度、気温などに応じて、適宜な値を設定するとよい。
【００３７】
スリップ率演算部２２ｂは、車輪速センサ９１が検出した車輪速度から算出された車両速度ＶＣＲと、各車輪Ｔの速度ＶＴとから、スリップ率ＳＬを算出する。スリップ率ＳＬは、
ＳＬ＝（ＶＣＲ−ＶＴ）／ＶＣＲ×１００（％）
により算出することができる。
【００３８】
ブレーキ制御量演算部２２ｃは、目標スリップ率ＳＬＴと現時点のスリップ率ＳＬとから車輪ブレーキＦＬ，ＲＲ，ＲＬ，ＦＲの制御量、具体的には、ホイールシリンダＷを制御する量を決定する。
例えば、スリップ率ＳＬが、所定値より小さい場合には、アンチロックブレーキ制御をする必要がないから、ブレーキ制御量を「０（ゼロ）」とすることができる。
また、一旦スリップ率ＳＬが所定値を超えた場合には、スリップ率ＳＬが目標スリップ率ＳＬＴに近づくように、目標スリップ率ＳＬＴとスリップ率ＳＬの差や割合に応じてブレーキ制御量を決定することができる。つまり、各車輪ブレーキＦＬ，ＲＲ，ＲＬ，ＦＲに対応するホイールシリンダＷに付与するブレーキ液圧の保持または減圧・増圧とその動作量を決定する。
【００３９】
駆動部２２ｄは、ブレーキ制御量演算部２２ｃが算出したブレーキ制御量に基づいて、液圧ユニット１０を駆動する信号を出力する部分である。すなわち、ブレーキ液圧の減圧、保持、増圧に対応させて予め記憶部２１に記憶しておいた各入口弁１、出口弁２および電動モータ６の動作パターンを読み出し、制御信号として出力する。
【００４０】
操舵制御部２３は、目標操舵角演算部２３ａ、補正判定部２３ｂ、補正操舵量演算部２３ｃ、操舵量演算部２３ｄおよび駆動部２３ｅを備えて構成されている。図４において、補正判定部２３ｂおよび補正操舵量演算部２３ｃを合わせた補正操舵部Ａ（破線で囲んだ部分）は、前輪補正操舵部および後輪補正操舵部に相当する。
【００４１】
目標操舵角演算部２３ａは、ステアリング操作角から、各車輪Ｔの操舵方向（本明細書において「操舵角」ともいう。）を求める部分である。具体的には、ステアリング操作角から旋回半径を計算し、旋回半径に応じて左右の前輪の目標の操舵方向（目標操舵角ＳＡＴ）を算出する。この目標操舵角ＳＡＴの算出は、ステアリング操作角と左右前輪の操舵角ＳＡとを一対一に対応させたテーブルを参照して求めてもよいし、車両ＣＲの旋回中心を推定して、幾何学的に算出してもよい。
なお、車両ＣＲの車両速度ＶＣＲに応じて後輪を前輪と同相または逆相に制御する４ＷＳ制御を行うため、前輪と同様に、左右の後輪の目標操舵角を算出してもよい。
【００４２】
補正判定部２３ｂは、スプリット路面において急制動を掛けることで車両ＣＲにヨーモーメントが発生したかどうかを判定し、発生したと判定した場合には、補正操舵量演算部２３ｃに操舵補正の指令をする部分である。
具体的には、マスタシリンダＭのブレーキ液圧（マスタシリンダ圧）などからブレーキ操作の有無を判断する。そして、急制動の操作があった場合には、ヨーモーメントの大きさをヨーレートＶＹなどから推定し、ステアリング操作角および車両速度ＶＣＲから求まる通常のヨーモーメントと比較して、大きなヨーモーメントが発生していた場合には、スプリット路面での急制動により車両ＣＲが旋回し始めたと判定する。
なお、マスタシリンダ圧は、液圧ユニット１０内の所定の箇所の圧力を検出することで取得することができる。また、ブレーキ操作の有無は、ブレーキランプのスイッチの情報を取得して判断することができる。さらに、ブレーキペダルＰに操作量を検出するセンサを設けておき、ブレーキ操作量の大きさ、速さから急制動の有無まで判断してもよい。
【００４３】
補正操舵量演算部２３ｃは、補正判定部２３ｂが、スプリット路面での急制動によるヨーモーメントの発生を判定した場合に、各車輪Ｔの補正操舵量を算出する部分である。
補正操舵量演算部２３ｃは、ヨーモーメントが所定の基準を上回っていない場合には、前輪のみの補正操舵量を算出し、上回っている場合には、前輪と後輪の補正操舵量を算出する。
【００４４】
補正操舵量ｄθを算出する際には、後述するいずれの算出方法を用いるにしても、高μ路側前輪については、トーイン方向に操舵補正される。このことにより、スプリット路面での急制動に伴い発生したヨーモーメントを打ち消すカウンターヨーモーメントを発生させることができ、車両ＣＲの進行方向を元通りに回復させることができる。
【００４５】
そして、低μ路側前輪については、ヨーモーメント発生前の操舵方向を維持するか、車輪前後方向を当該車両位置における対地速度方向に向けるように操舵補正される。このことにより、従来と比較して、低μ路側前輪がその位置での車両ＣＲの進行方向（対地速度方向）、言い換えると、車輪Ｔに対して路面が移動する方向へ向くように操舵されるので、車輪Ｔの摩擦力をできるだけ生かして、良好な制動力を発揮することができる。また、車輪Ｔの向きが路面の動きに沿うことから車輪が路面に追従しやすくなるので、アンチロックブレーキ制御を行うことで、運転者による車両ＣＲのコントロールがしやすくなる。
【００４６】
高μ路側後輪については、トーアウト方向に操舵補正される。このことにより、スプリット路面での急制動に伴い発生したヨーモーメントを打ち消すカウンターヨーモーメントを発生することができ、車両ＣＲの進行方向を元通りに回復させることができる。
【００４７】
そして、低μ路側後輪については、ヨーモーメント発生前の操舵方向を維持するか、車輪前後方向を当該車両位置における対地速度方向に向けるように操舵補正される。このことにより、従来と比較して、低μ路側後輪がその位置での車両ＣＲの進行方向、言い換えると、車輪Ｔに対して路面が移動する方向（対地速度方向）へ向くように操舵されるので、車輪Ｔの摩擦力をできるだけ生かして、良好な制動力を発揮することができる。また、車輪Ｔの向きが路面の動きに沿うことから、アンチロックブレーキ制御を行うことで、運転者による車両ＣＲのコントロールがしやすくなる。
【００４８】
具体的な補正操舵量ｄθの算出について、まず、前輪を前提として説明する。
補正操舵量演算部２３ｃは、ヨーモーメントの大きさ、厳密にはステアリング操作による通常のヨーモーメントを超えて発生した分のヨーモーメントの大きさに応じて各車輪Ｔの補正操舵量ｄθを算出する。なお、特許請求の範囲にいうヨーモーメントは、この超過分のヨーモーメントをいう。また、補正操舵量ｄθは、ステアリング操作角から決まる通常の車輪Ｔの操舵角ＳＡを基準として、スプリット路での車両ＣＲの姿勢変化を修正するために操舵する量（角度）をいう。
【００４９】
補正操舵量ｄθの算出にあたっては、まず、検出されたヨーレートから、高μ路側と低μ路側の車輪を区別する。
【００５０】
そして、高μ路側の車輪の補正操舵に際しては、次のような方法を採ることができる。
例えば、図５に示すように、ヨーレートＶＹ（またはヨーモーメント）と各輪の補正操舵量ｄθの関係を記憶部２１に記憶しておき、この関係を参照して補正操舵量を算出することができる。この関係は、ヨーレートＶＹが大きいほど補正操舵量ｄθを大きくしておくとよい。このような関係とすることで、車両ＣＲが大きく振れたときほど速く姿勢を回復させるように大きなカウンターヨーモーメントを発生させることができる。
また、ヨーレートＶＹと補正操舵量ｄθの関係は、比例させるよりは、ヨーレートＶＹが大きくなるほど補正操舵量ｄθの増加率を小さくするのが好ましい。このような関係とすることで、過度なカウンターヨーモーメントの発生を防止して、車両ＣＲの振れ戻しを防止できる。また、運転者の操作に違和感を与えにくくなる。
【００５１】
さらに、車両速度ＶＣＲと、補正操舵量ｄθの関係を記憶しておいて、車両速度ＶＣＲに応じて補正操舵量ｄθを算出してもよい。例えば、図６に示すように、車両速度ＶＣＲが大きいほど、補正操舵量ｄθの値が小さくなるように設定しておけば、車両速度ＶＣＲが高いときの急操舵を防止して、車両ＣＲの姿勢を安定化させることができる。
【００５２】
また、補正操舵量ｄθは、車両ＣＲに発生した振れが増加傾向にあるときと、減少傾向にあるときとで、異なる値を採るようにしてもよい。
例えば、車両の振れが増加傾向にあるときは、求めた補正操舵量ｄθをそのまま用い、減少傾向にあるときは、求めた補正操舵量ｄθに１より小さい定数α（０＜α＜１）を乗じて、新たな補正操舵量ｄθを得るように構成することができる。振れの増加傾向と減少傾向とは、ヨーレートの向きの反転、すなわち、ヨーレートの符号が入れ替わったかどうかで判定することができる。
このように車両ＣＲの振れが減少傾向のときに小さい補正操舵量ｄθをとるように設定することで、車両ＣＲの姿勢の変化が回復し始めたら、操舵補正を少なくして車両ＣＲの振れ戻しを抑制することが可能となる。
【００５３】
また、低μ路側の車輪Ｔの補正操舵量ｄθを求める場合には、次の方法を採ることができる。
まず、高μ路側の車輪Ｔと同じように、図５に示すように、ヨーレートＶＹ（またはヨーモーメント）と各輪の補正操舵量ｄθの関係を記憶部２１に記憶しておき、この関係（θ２，θ３）を参照して補正操舵量ｄθを算出することができる。
【００５４】
また、低μ路側の車輪Ｔの補正操舵量ｄθを求める他の方法としては、ブレーキ操作前の車輪Ｔの速度成分と、現在の当該車輪Ｔの位置での車両ＣＲの回転速度成分とを合成した方向に向けて操舵しても良い。
例えば、図７（ａ）に示すように、車両ＣＲの低μ路側前輪の補正操舵量ｄθ（＝θ２）を求める場合、次のようにして求めることができる。まず、予め記憶しておいた、または各車輪Ｔに掛かる車重から推定した車両ＣＲの重心位置Ｇと、ヨーレートＶＹとから、低μ路側前輪の位置での車両ＣＲの回転速度成分ω１を求める。次に、記憶部２１に記憶していた車両速度ＶＣＲの履歴から、急制動前の車両速度ＶＣＲを参照し、元の操舵方向に向いた低μ路側前輪の速度成分ＶＣＲ１とする。そして、この速度成分ＶＣＲ１と回転速度成分ω１とを合成して速度ベクトルＶ１（対地速度）を求め、速度ベクトルＶ１の方向を、その車輪Ｔが路面に対し進行している方向と推定する。つまり、速度ベクトルＶ１の方向を、その車輪Ｔを操舵すべき方向（θ２）と決定することができる。
【００５５】
ヨーモーメントが所定の基準より大きい場合には、前輪のみならず、後輪についても同様の方法で補正操舵量ｄθ（図７（ａ）のθ３，θ４）を求める。
【００５６】
補正操舵量演算部２３ｃが出力した補正操舵量ｄθは、目標操舵角演算部２３ａが出力した目標操舵角ＳＡＴに加算され、操舵量演算部２３ｄに入力される。
【００５７】
操舵量演算部２３ｄは、入力された目標操舵角ＳＡＴと、操舵角センサ９２で検出した操舵角ＳＡとの差や割合から、各車輪Ｔの操舵量ＳＴＣを求める部分である。求められた操舵量ＳＴＣは、駆動部２３ｅへ出力される。
【００５８】
駆動部２３ｅは、入力された操舵量ＳＴＣに基づき、各車輪Ｔの操舵方向を調節すべく、液圧ユニット１０内の電磁弁１１ａ，１１ｂや電動モータ１６などを作動させる信号を出力する部分である。具体的には、操舵量ＳＴＣの符号および大きさに応じて電磁弁１１ａ，１１ｂや電動モータ１６を作動させることで、アクチュエータ３０が駆動され、各車輪Ｔが操舵される。
【００５９】
以上のような車両用制御装置１００の動作について、図９および図１０を参照しながら説明する。図９は、実施形態に係る車両用制御装置の全体的な処理を示すフローチャートであり、図１０は、操舵補正処理を示すフローチャートである。なお、アンチロックブレーキ制御の動作は、従来と同様であるので、フローチャートを用いた詳細な説明は省略する。
【００６０】
図９に示すように、車両用制御装置１００は、常時、操作角センサ９３により、ステアリングＳの操作方向と操作量（ステアリング操作角）を検出する（ステップＳ１）。そして、目標操舵角演算部２３ａは、ステアリングＳの操作方向と操作量から旋回半径を算出する（ステップＳ２）。次に、目標操舵角演算部２３ａは、算出した旋回半径に応じて左右の前輪の目標操舵角ＳＡＴを算出する（ステップＳ３）。
【００６１】
そして、補正判定部２３ｂにより、スプリット路面での急制動でヨーモーメントが発生したかどうかが判断される。この判断は、ブレーキ操作と、ヨーモーメントの監視により行う。まず、ブレーキ操作があるか否かが判断され、無かった場合には（ステップＳ４，Ｎｏ）、操舵量演算部２３ｄが目標操舵角ＳＡＴと検出した操舵角ＳＡの差から各車輪Ｔの操舵量ＳＴＣを算出する（ステップＳ９）。そして、駆動部２３ｅが操舵量ＳＴＣに応じて各アクチュエータ３０を制御することで（ステップＳ９）、各車輪Ｔが操舵される。そして、車両速度、ヨーモーメントなどを時系列に記憶部２１へ記憶する（ステップＳ１０）。
【００６２】
一方、ブレーキ操作があった場合には（ステップＳ４，Ｙｅｓ）、さらに、ステアリング操作に相関しないヨーモーメントが検出されたかどうか判断する。ここでステアリング操作から想定されるヨーモーメントを超えるヨーモーメントが検出されない場合（ステップＳ５，Ｎｏ）、スプリット路面でのヨーモーメント発生とは判定せずに、ステップＳ９へ進む。一方、ステアリング操作から想定されるヨーモーメントを超えるヨーモーメントが検出された場合には（ステップＳ５，Ｙｅｓ）、前輪の操舵量補正処理（ステップＳ６、詳細は後述）を行う。そして、ヨーモーメント（または同等の意味を持つヨーレートＶＹなど。以下同じ。）が基準値を上回るのであれば（ステップＳ７，Ｙｅｓ）、後輪の操舵量補正処理（ステップＳ８、詳細は後述）を行い、ステップＳ９に進んで各車輪Ｔの操舵を実行する。ヨーモーメントが基準値を上回らない場合には（ステップＳ７，Ｎｏ）、後輪の操舵量補正処理を行わずにステップＳ９に進む。そして、操舵量の演算（ステップＳ９）、操舵量に応じたアクチュエータの制御（ステップＳ１０）、車両速度、ヨーモーメントの記憶（ステップＳ１０）をした後、ステップＳ１から処理を繰り返す。
【００６３】
次に、操舵量補正処理について、図１０を参照しながら説明する。操舵量補正処理は、前輪、後輪とも補正操舵量ｄθを決定するときに参照するデータや使用する値が異なる以外は同じ処理をするので、まとめて説明する。
まず、補正操舵量演算部２３ｃは、ヨーレートセンサ９４からヨーレートＶＹを取得する（ステップＳ２１）。
次に、補正操舵量演算部２３ｃは、ヨーモーメントの大きさに応じて高μ路側車輪の補正操舵量ｄθを算出する（ステップＳ２２）。このとき、前輪であれば、補正操舵量ｄθをトーイン方向に設定し、後輪であれば、補正操舵量ｄθをトーアウト方向に設定する。
そして、補正操舵量演算部２３ｃは、ヨーレートの向き（符号）が反転したか否か判断し、反転前であれば（ステップＳ２３，Ｎｏ）、算出した補正操舵量ｄθをそのまま用い、反転後であれば（ステップＳ２３，Ｙｅｓ）、算出した補正操舵量ｄθをα（但し、０＜α＜１）倍する（ステップＳ２４）。
【００６４】
次に、補正操舵量演算部２３ｃは、低μ路側車輪の位置での進行方向を推定する（ステップＳ２５）。この推定は、例えば図７（ａ）に示したように、急制動前の車輪Ｔの速度成分ＶＣＲ１と、現時点の車輪位置での回転速度成分ω１とを合成して行うことができる。
次に、この推定した低μ路側車輪の位置での進行方向に基づき、低μ路側車輪の補正操舵量ｄθを算出する（ステップＳ２６）。このとき、前輪であれば、補正操舵量ｄθは、通常トーイン方向に設定され、後輪であればトーアウト方向に設定される。もっとも、前記した低μ路側車輪の位置での進行方向の推定を省略して、単に低μ路側前輪および低μ路側後輪の操舵方向を維持してもよい。
【００６５】
そして、補正操舵量演算部２３ｃは、目標操舵角ＳＴＡに求めた補正操舵量ｄθを加算する（ステップＳ２７）。
【００６６】
このような一連の処理により、図７（ａ）のように左半分が高μ路、右半分が低μ路のスプリット路面で低速直進していた車両ＣＲが、急制動することでアンチロックブレーキ制御がなされるとともに、ヨーモーメントが発生しはじめると、前輪は、高μ路側の左車輪がトーイン方向へ、低μ路側の右車輪が進行方向へ向こうとする結果、トーイン方向へ操舵される。そして、ヨーモーメントが所定の基準値を上回っている場合には、後輪のうち、高μ路側の左車輪がトーアウト方向へ、低μ路側の右車輪が進行方向へ向こうとする結果、トーアウト方向へ操舵される。
この結果、図７（ｂ）に示すように、高μ路側の車輪Ｔは、高いトラクションにより車両ＣＲの姿勢を元へ戻そうとするカウンターヨーモーメントを発生する。そして、低μ路側の車輪Ｔは、その進行方向へ向き、かつアンチロックブレーキ制御がなされていることで、極力高いトラクションを発生する範囲で路面に追従し、車両ＣＲのコントロールが可能となる。また、車輪Ｔは、路面の移動方向に転動することから、タイヤの性能を最大限に発揮することができる。
【００６７】
一方、車両ＣＲが高速で走行していた時にスプリット路面でヨーモーメントが発生し、本実施形態の制御がなされると、図８に示すような状態になる。
図８に示すように、高速で走行していた場合には、急制動前の低μ路側前輪（右前車輪）Ｔの速度成分ＶＣＲ１が大きいため、車両ＣＲが左にある程度旋回した後では、右前の車輪Ｔの位置では、車両ＣＲに対し地面が流れる方向は、車両ＣＲに対しわずかに左の後方向となる。言い換えると、対地速度方向は、車両ＣＲに対しわずかに右前方向となる。そこで、回転速度成分ω１と速度成分ＶＣＲ１を合成した速度成分Ｖ１の方向に右前の車輪Ｔの前後方向を向けると、その車輪は、若干トーアウト方向へ向くことになる。
このように高速時においては、回転速度成分ω１に比較して直進の速度成分Ｖ１が大きいため、車両の旋回量によっては、低μ側前輪がトーアウト方向を向くこともある。
このとき、低μ側後輪も同様に操舵され、図８に示した例では、若干トーアウト方向を向く。
【００６８】
以上のように、本実施形態の車両用制御装置１００によれば、高μ路側の前輪をトーイン方向に補正操舵して車両ＣＲの姿勢を回復させるとともに、低μ路側の前輪も、路面の相対的移動方向に沿う方向へ操舵するので、低μ路側の前輪が路面に追従し、タイヤの能力を引き出すことができる。また、車両ＣＲのコントロールがしやすくなる。
また、発生したヨーモーメントが大きい場合には、後輪も同様に、高μ路側をトーアウト方向に補正操舵して車両ＣＲの姿勢を回復させるとともに、低μ路側の車輪Ｔを路面の相対的移動方向に沿う方向へ操舵するので、同車輪Ｔの性能を引き出すことができる。
さらに、車両ＣＲのヨーモーメントの向きが反転したら、補正操舵量を小さくするので、車両ＣＲの振れ戻しを抑制することができる。
【００６９】
以上、本発明の実施形態について説明したが、本発明は、前記した実施形態に限定されることなく、適宜変更して実施することができる。
例えば、実施形態におけるステアリングＳと各車輪Ｔは、機械的に接続しない場合を例にしたが、ステアリングＳと各車輪Ｔとを機械的に接続するかどうかは任意である。例えば、ステアリングＳの操作は、機械的に車輪Ｔに伝えられるようにされた上で、各車輪Ｔの操舵方向を微調整するように、ステアリング機構の一部にアクチュエータを組み込むように構成してもよい。
【００７０】
前記実施形態においては、前輪を補正操舵するのを前提としていたが、後輪のみを補正操舵するように構成することもできる。
また、前記実施形態においては、便宜上、液圧ユニット１０は、アンチロックブレーキ制御と操舵制御の両方が一つのユニットとして構成される例を説明したが、これらは別体でもよいし、それぞれ電動装置を利用するなど液圧の装置でなくても構わない。
さらに、前記実施形態においては、４輪の自動車を前提に説明したが、前２輪、後４輪の自動車などに対しても同様に適用することができる。
【図面の簡単な説明】
【００７１】
【図１】実施形態に係る車両用制御装置を備えた車両の構成図である。
【図２】操舵調節装置の液圧回路図である。
【図３】制動力調節装置の液圧回路図である。
【図４】制御部のブロック図である。
【図５】ヨーレートと補正操舵量の関係を示す図である。
【図６】車両速度と補正操舵量の関係を示す図である。
【図７】（ａ）は、低速時にスプリット路面でヨーモーメントが発生したときの車両の状態を示す図であり、（ｂ）は、低速時にスプリット路面で車両が旋回し、本実施形態の制御がなされたときの状態を示す図である。
【図８】高速時にスプリット路面でヨーモーメントが発生し、本実施形態の制御がなされたときの状態を示す図である。
【図９】実施形態に係る車両用制御装置の全体的な処理を示すフローチャートである。
【図１０】操舵補正処理を示すフローチャートである。
【符号の説明】
【００７２】
１０    液圧ユニット
２０    制御部
２１    記憶部
２２    アンチロックブレーキ制御部
２３    操舵制御部
２３ａ  目標操舵角演算部
２３ｂ  補正判定部
２３ｃ  補正操舵量演算部
２３ｄ  操舵量演算部
２３ｅ  駆動部
３１    ピストンロッド
９１    車輪速センサ
９２    操舵角センサ
９３    操作角センサ
９４    ヨーレートセンサ
１００  車両用制御装置
ＣＲ    車両
Ｔ      車輪
【図１】
0004460544.tif 000002
【図２】
0004460544.tif 000003
【図３】
0004460544.tif 000004
【図４】
0004460544.tif 000005
【図５】
0004460544.tif 000006
【図６】
0004460544.tif 000007
【図７】
0004460544.tif 000008
【図８】
0004460544.tif 000009
【図９】
0004460544.tif 000010
【図１０】
0004460544.tif 000011